(57)【要約】      （修正有）【課題】  映像周波数に応じて良好な画質を作り出すことが出来る画質調整装置、画質調整方法およびディスプレイ装置を提供する。【解決手段】  映像信号のレベルを映像信号における複数の周波数帯域ごとに検出するレベル検出手段と、レベル検出手段により検出された映像信号の複数の周波数帯域毎のレベルに基づいて映像の画質を映像信号の複数の周波数帯域毎に調整する画質調整手段を備える。【選択図】  図４
2006287636.tif 000002
【特許請求の範囲】
【請求項１】
映像信号に対して信号処理を行うことにより、前記映像信号に対応する映像の画質を調整する画質調整装置であって、
前記映像信号のレベルを当該映像信号における複数の周波数帯域ごとに検出するレベル検出手段と、
前記レベル検出手段により検出された前記映像信号の前記複数の周波数帯域ごとのレベルに基づいて前記映像の画質を前記映像信号の複数の周波数帯域ごとに調整する画質調整手段とを備えていることを特徴とする画質調整装置。
【請求項２】
前記レベル検出手段は、映像信号の走査期間内に設定された複数の検出区間におけるレベルを前記複数の周波数帯域ごとに検出し、前記複数の検出区間におけるレベルの平均値を前記複数の周波数帯域ごとに生成する平均値生成手段を備えていることを特徴とする請求項１に記載の画質調整装置。
【請求項３】
前記画質調整装置は、
前記レベル検出手段により検出された前記映像信号の前記複数の周波数帯域ごとのレベルに基づいて特定の周波数帯域を選択する選択手段と、
前記選択手段により選択された周波数帯域に属する前記映像信号の周波数成分に対し画質調整を行う選択的画質調整手段とを備えていることを特徴とする請求項１に記載の画質調整装置。
【請求項４】
前記選択手段は、前記複数の周波数帯域にそれぞれ属する前記映像信号の複数の周波数成分の中から、所定レベルよりも低いレベルを有する周波数成分を検出し、この周波数成分が属する周波数帯域を選択することを特徴とする請求項３に記載の画質調整装置。
【請求項５】
前記画質調整手段は、前記映像のシャープネスを調整するシャープネス調整手段を備えていることを特徴とする請求項１ないし４のいずれかに記載の画質調整装置。
【請求項６】
前記画質調整手段は、前記映像の輝度を調整する輝度調整手段を備えていることを特徴とする請求項１ないし４のいずれかに記載の画質調整装置。
【請求項７】
前記画質調整手段は、前記映像の色を調整する色調整手段を備えていることを特徴とする請求項１ないし４のいずれかに記載の画質調整装置。
【請求項８】
映像信号に対して信号処理を行うことにより、前記映像信号に対応する映像の画質を調整する画質調整方法であって、
前記映像信号のレベルを当該映像信号における複数の周波数帯域ごとに検出するレベル検出工程と、
前記レベル検出工程において検出された前記映像信号の前記複数の周波数帯域ごとのレベルに基づいて前記映像の画質を前記映像信号の複数の周波数帯域ごとに調整する画質調整工程とを備えていることを特徴とする画質調整方法。
【請求項９】
請求項１ないし７のいずれかに記載の画質調整装置を備えていることを特徴とするディスプレイ装置。
【請求項１０】
請求項１ないし７のいずれかに記載の画質調整装置としてコンピュータを機能させることを特徴とするコンピュータプログラム。
【発明の詳細な説明】
【技術分野】
【０００１】
本発明は、映像ないし画像を表示するディスプレイ装置に用いることができる画質調整装置および画質調整方法、並びに画質調整装置を備えたディスプレイ装置に関する。
【背景技術】
【０００２】
例えば、プラズマディスプレイ、液晶ディスプレイおよびＣＲＴ（Cathode Ray Tube）ディスプレイなどのディスプレイ装置には、画質調整装置が設けられているものが多い。画質調整装置は、画質を調整するための装置であり、画質調整装置には、例えば、シャープネス調整装置、輝度調整装置、色調整装置などがある。
【発明の開示】
【発明が解決しようとする課題】
【０００３】
従来の画質調整装置は、映像信号の周波数にかかわらず、一律に画質の調整を行っている。このため、例えば次のような問題がある。
【０００４】
従来のシャープネス調整装置では、映像信号の周波数にかかわらず一律にシャープネス強度の調整を行っている。このため、例えば、映像周波数の高い部分が不鮮明であり、映像周波数の低い部分が鮮明な映像において、映像周波数の高い部分の不鮮明さを改善するためにシャープネス強度を強くすると、映像周波数の低い部分に余分なシュートが付いてしまい、映像全体のシャープネス調整をうまく行うことができないという問題がある。
【０００５】
また、従来の輝度調整装置では、映像信号の周波数にかかわらず一律に輝度の調整を行っている。このため、例えば、映像周波数の高い部分が暗く、映像周波数の低い部分が明るい映像において、映像周波数の高い部分を明るくするために輝度をあげると、映像周波数の低い部分が過剰に明るくなってしまい、映像全体の明るさをうまく調整できないという問題がある。
【０００６】
また、従来の色調整装置では、映像信号の周波数にかかわらず一律に色の濃さないし彩度の調整を行っている。このため、例えば、映像周波数の高い部分の色が薄く、映像周波数の低い部分の色が濃い映像において、映像周波数の高い部分の色を濃くするために色調整を行うと、映像周波数の低い部分の色が過剰に濃くなってしまい、映像全体の色調整をうまく行うことができないという問題がある。
【０００７】
本発明は上記に例示したような問題点に鑑みなされたものであり、本発明の課題は、映像周波数に応じて良好な画質を作り出すことができる画質調整装置、画質調整方法およびディスプレイ装置を提供することにある。
【課題を解決するための手段】
【０００８】
上記課題を解決するために請求項１に記載の画質調整装置は、映像信号に対して信号処理を行うことにより、前記映像信号に対応する映像の画質を調整する画質調整装置であって、前記映像信号のレベルを当該映像信号における複数の周波数帯域ごとに検出するレベル検出手段と、前記レベル検出手段により検出された前記映像信号の前記複数の周波数帯域ごとのレベルに基づいて前記映像の画質を前記映像信号の複数の周波数帯域ごとに調整する画質調整手段とを備えている。
【０００９】
上記課題を解決するために請求項８に記載の画質調整方法は、映像信号に対して信号処理を行うことにより、前記映像信号に対応する映像の画質を調整する画質調整方法であって、前記映像信号のレベルを当該映像信号における複数の周波数帯域ごとに検出するレベル検出工程と、前記レベル検出工程において検出された前記映像信号の前記複数の周波数帯域ごとのレベルに基づいて前記映像の画質を前記映像信号の複数の周波数帯域ごとに調整する画質調整工程とを備えている。
【００１０】
上記課題を解決するために請求項９に記載のディスプレイ装置は、請求項１ないし７のいずれかに記載の画質調整装置を備えている。
【００１１】
上記課題を解決するために請求項１０に記載のコンピュータプログラムは、請求項１ないし７のいずれかに記載の画質調整装置としてコンピュータを機能させる。
【発明を実施するための最良の形態】
【００１２】
以下、本発明の実施の形態について図面を参照しながら説明する。
【００１３】
（第１実施形態）
まず、本発明の画質調整装置および画質調整方法の第１実施形態として、本発明を適用したシャープネス調整装置について説明する。
【００１４】
図１は、本発明を適用したシャープネス調整装置が設けられたディスプレイ装置を示している。本発明を適用したシャープネス調整装置１は、例えば、図１に示すようなディスプレイ装置２に用いるのに好適である。ディスプレイ装置２は、例えば、プラズマディスプレイ、液晶ディスプレイ、ＣＲＴディスプレイなどである。シャープネス調整装置１が設けられたディスプレイ装置２によれば、映像周波数に応じて良好な画質を作り出すことができる。
【００１５】
図２は、シャープネス調整装置１の構造を示している。シャープネス調整装置１は、映像信号に対して信号処理を行うことにより、映像信号に対応する映像のシャープネスを調整する装置である。シャープネス調整装置１は、レベル検出回路３、周波数帯域選択回路４およびシャープネス調整回路５を備えている。なお、映像信号はアナログ映像信号でもデジタル映像信号でもよい。
【００１６】
図３は、レベル検出回路３の構造を示している。レベル検出回路３は、映像信号のレベルを当該映像信号における５個の周波数帯域ごとに検出する。すなわち、レベル検出回路３は、映像信号の走査期間における振幅の大きさ、つまり、映像信号において、画像を構成する各画素の輝度および色を決定する情報が含まれている部分の振幅の大きさを、互いの異なる５個の周波数帯域ごとに検出する。レベル検出回路３は、図３に示すように、５個のフィルタ部１１Ａないし１１Ｅ、５個のレベル検出部１２Ａないし１２Ｅ、５個の平均化部１３Ａないし１３Ｅ、およびタイミング制御部１４を備えている。
【００１７】
フィルタ部１１Ａないし１１Ｅは、走査期間内の所定の検出区間における映像信号の一部分を抽出し、これをそれぞれ異なる５個の周波数成分に分ける。例えば、各フィルタ部１１Ａないし１１Ｅは、図５に示すように、映像信号Ｓ１の走査期間内に設定された検出区間Ｐ１ないしＰ４における映像信号の部分を抽出する。また、フィルタ部１１Ａないし１１Ｅには、それぞれ異なる５個の通過帯域がそれぞれ設定されており、抽出された映像信号の部分は、フィルタ１１Ａないし１１Ｅにより５個の通過帯域に応じた５個の周波数成分に分けられる。各フィルタ部１１Ａないし１１Ｅは、例えばバンドパスフィルタなどにより構成することができる。
【００１８】
各レベル検出部１２Ａないし１２Ｅは、各フィルタ部１１Ａないし１１Ｅにより抽出された映像信号の周波数成分のレベルを検出する。
【００１９】
各平均化部１３Ａないし１３Ｅは、各レベル検出部１２Ａないし１２Ｅにより検出された映像信号の周波数成分のレベルを１フレーム分または１フィールド分累積し、これにより得られた累積値を、１フレームまたは１フィールドを構成する映像信号において設定された検出区間の個数で割る。この結果、１フレームを構成する映像信号全体の各周波数成分のレベルの実質的な平均値を得ることができる。すなわち、映像信号の５個の周波数成分のレベルについて、５個の実質的平均値を得ることができる。このように、平均化部１３Ａないし１３Ｅによれば、複数の検出区間における映像信号の周波数成分のレベルを累積し、これにより得られた累積値を検出区間の個数で割ることにより、映像信号全体の各周波数成分のレベルの実質的な平均値を容易かつ高精度に得ることができる。
【００２０】
タイミング制御部１４は、垂直同期信号および水平同期信号に基づいて、フィルタ部１１Ａないし１１Ｅが映像信号の抽出処理を実行するタイミングを制御する。なお、垂直同期信号および水平同期信号は、図示しない同期回路により、映像信号のブランキング期間から垂直同期パルスおよび水平同期パルスを分離することにより作り出すことができる。
【００２１】
周波数帯域選択回路４は、レベル検出回路３により検出された映像信号の各周波数帯域のレベル（具体的には１フレームを構成する映像信号全体の各周波数成分のレベルの実質的な平均値）に基づいて特定の周波数帯域を選択する。例えば、周波数帯域選択回路４は、５個の周波数帯域にそれぞれ属する映像信号の５個の周波数成分の中から、所定レベルよりも低いレベルを有する周波数成分を検出し、この周波数成分が属する周波数帯域を選択する。そして、周波数帯域選択回路４は、選択した周波数帯域を示す選択信号を生成する。
【００２２】
図４は、シャープネス調整回路５の構造を示している。シャープネス調整回路５は、レベル検出回路３により検出された映像信号の５個の周波数帯域ごとのレベルに基づいて、映像のシャープネス強度を映像信号の５個の周波数帯域ごとに調整する。例えば、シャープネス調整回路５は、周波数帯域選択回路４により選択された特定の周波数帯域に属する映像信号の周波数成分に対し、シャープネス強度の調整を行う。シャープネス調整回路５は、図４に示すように、５個のフィルタ部１５Ａないし１５Ｅ、５個のシャープネス調整部１６Ａないし１６Ｅ、および加算器１７を備えている。フィルタ部１５Ａないし１５Ｅは、映像信号をそれぞれ異なる５個の周波数成分に分ける。各フィルタ部１５Ａないし１５Ｅは、例えばバンドパスフィルタなどにより構成することができる。各シャープネス調整部１６Ａないし１６Ｅは、映像信号の各周波数成分のシャープネス強度を調整する。加算器１７は、フィルタ部１５Ａないし１５Ｅにより分けられた映像信号の周波数成分をそれぞれ合成し、１個の映像信号にまとめる。
【００２３】
シャープネス調整装置１の動作は以下のとおりである。映像信号がシャープネス調整装置１に入力されると、シャープネス調整装置１内において、映像信号はレベル検出回路３およびシャープネス調整回路５にそれぞれ入力される。続いて、レベル検出回路３は、映像信号の走査期間内に設定された複数の検出区間から映像信号の部分を抽出し、これら抽出された映像信号の部分を５個の周波数成分に分け、各周波数成分のレベルを検出する。さらに、レベル検出回路３は、１フレームを構成する映像信号の各周波数成分のレベルの実質的な平均値を生成し、これらを周波数帯域選択回路４に出力する。続いて、周波数帯域選択回路４は、５個の周波数帯域にそれぞれ属する映像信号の周波数成分の中から、所定レベルよりも低いレベルを有する周波数成分を検出し、この周波数成分が属する周波数帯域を示す選択信号を生成し、これをシャープネス調整回路５に出力する。続いて、シャープネス調整回路５は、選択信号が示す周波数帯域に属する映像信号の周波数成分に対し、シャープネス強度の調整を行う。具体的には、シャープネス調整部１６Ａないし１６Ｅが、選択信号の示す周波数帯域に属する映像信号の周波数成分に対しシャープネス強度の調整を行う。
【００２４】
以上説明したとおり、シャープネス調整装置１は、映像信号の複数の周波数帯域ごとのレベルに基づいて、映像信号の複数の周波数帯域ごとに、例えばレベルの低い周波数成分についてだけ、シャープネス強度の調整を行う。これにより、映像周波数に応じて良好な画質を作り出すことができる。
【００２５】
図６は、映像信号のシャープネス強度を周波数帯域にかかわらず一律に強くした場合を示している。すなわち、図６において実線で示した映像信号Ｓ２は、シャープネス強度を強くする前の映像信号であり、二点鎖線で示した映像信号Ｓ３は、シャープネス強度を強くした後の映像信号である。映像信号のシャープネス強度を周波数帯域にかかわらず一律に強くしたため、映像信号Ｓ３には余分なシュート成分Ｓｈが付いている。これら余分なシュート成分Ｓｈは画質を悪化させる。
【００２６】
これに対し、図７は、映像信号のうち、選択された特定の周波数帯域に属する周波数成分、具体的には所定のレベルよりも低いレベルを有する周波数成分に限り、シャープネス強度を強くした場合を示している。すなわち、図７において実線で示した映像信号Ｓ２は、シャープネス強度を強くする前の映像信号であり、二点鎖線で示した映像信号Ｓ４は、シャープネス強度を強くした後の映像信号である。所定のレベルよりも低いレベルを有する周波数成分に限りシャープネス強度を強くしたため、映像信号Ｓ４には、余分なシュート成分が付いていない。余分なシュート成分が付いていないため良好な画質が得られる。
【００２７】
なお、レベル検出回路３はレベル検出手段およびレベル検出工程の具体例であり、平均化部１３Ａないし１３Ｅは平均値生成手段の具体例である。また、周波数帯域選択回路４は選択手段の具体例であり、シャープネス調整回路５は画質調整手段、選択的画質調整手段、画質調整工程およびシャープネス調整手段の具体例である。
【００２８】
また、レベル検出回路３では、上述したように、映像信号の走査期間内に設定された複数の検出区間におけるレベルを複数の周波数帯域ごとに検出し、複数の検出区間におけるレベルの平均値を複数の周波数帯域ごとに生成する。しかし、本発明におけるレベル検出手段はこれに限定されない。例えば、１ラインにおける映像信号の走査期間の全部について、複数の周波数帯域ごとにレベル検出を行い、検出されたレベルの平均値を１フレームないし１フィールドごとに生成してもよい。また、平均値の生成は、２フレーム以上ごとでもよい。
【００２９】
また、シャープネス調整装置１では、映像信号を５個の周波数成分に分けたが、映像信号を２個ないし４個、または６個以上の周波数成分に分けてもよい。
【００３０】
また、シャープネス調整装置１では、映像信号のうち、所定レベルよりも低いレベルを有する周波数成分に対し、シャープネス強度の調整を行う場合を例にあげたが、本発明はこれに限られない。例えば、映像信号のうち、所定レベルよりも高いレベルを有する周波数成分に対し、シャープネス強度の調整を行ってもよい。また、レベル検出回路３により検出した各周波数成分のレベルに応じて、シャープネス強度を調整する割合を設定してもよい。例えば、レベルの低い周波数成分に対してはシャープネス強度の調整量が大きくなり、レベルの高い周波数成分に対してはシャープネス強度の調整量が小さくなるように、調整割合の設定を行ってもよい。
【００３１】
（第２実施形態）
次に、本発明の画質調整装置および画質調整方法の第２実施形態として、本発明を適用した輝度調整装置について説明する。図８は、本発明を適用した輝度調整装置を示している。なお、図８中の輝度調整装置において、図２中のシャープネス調整装置と同一の構成要素には同一の符号を付し、その説明を省略する。
【００３２】
図８中の輝度調整装置２０は、映像の輝度を調整する装置である。輝度調整装置２０は、レベル検出回路３、周波数帯域選択回路４および輝度調整回路２１を備えている。
【００３３】
輝度調整回路２１は、レベル検出回路３により検出された映像信号の複数の周波数帯域ごとのレベルに基づいて、映像の輝度を映像信号の複数の周波数帯域ごとに調整する。例えば、輝度調整回路２１は、周波数帯域選択回路４により選択された特定の周波数帯域に属する映像信号の周波数成分に対し、輝度の調整を行う。輝度調整回路２１は、図４に示すシャープネス調整回路５とほぼ同様に、複数のフィルタ部、複数の輝度調整部、複数のスイッチ、および加算器を備えている。また、輝度調整回路２１において、複数のフィルタ部により映像信号を複数の周波数成分に分ける点、スイッチの切り換えにより輝度調整を行うか否かを選択する点、選択信号に基づいて複数のスイッチの切り換え制御を行う点、加算器により複数の周波数成分を１個の映像信号に合成する点は、図４に示すシャープネス調整回路５とほぼ同様である。
【００３４】
輝度調整装置２０の動作は以下のとおりである。映像信号が輝度調整装置２０に入力されると、輝度調整装置２０内において、映像信号はレベル検出回路３および輝度調整回路２１にそれぞれ入力される。続いて、レベル検出回路３は、映像信号の走査期間内に設定された複数の検出区間から映像信号の部分を抽出し、これら抽出された映像信号の部分を複数の周波数成分に分け、各周波数成分のレベルを検出する。さらに、レベル検出回路３は、１フレームを構成する映像信号の各周波数成分のレベルの実質的な平均値を生成し、これを周波数帯域選択回路４に出力する。続いて、周波数帯域選択回路４は、複数の周波数帯域にそれぞれ属する映像信号の周波数成分の中から、所定レベルよりも低いレベルを有する周波数成分を検出し、この周波数成分が属する周波数帯域を示す選択信号を生成し、これを輝度調整回路２１に出力する。続いて、輝度調整回路２１は、選択信号が示す周波数帯域に属する映像信号の周波数成分に対し、輝度の調整を行う。
【００３５】
以上説明したとおり、輝度調整装置２０は、映像信号の複数の周波数帯域ごとのレベルに基づいて、映像信号の複数の周波数帯域ごとに、例えばレベルの低い周波数成分についてだけ、輝度の調整を行う。これにより、映像周波数に応じて良好な画質を作り出すことができる。なお、輝度調整回路２１は輝度調整手段の具体例である。
【００３６】
（第３実施形態）
次に、本発明の画質調整装置および画質調整方法の第３実施形態として、本発明を適用した色濃さ調整装置について説明する。図９は、本発明を適用した色濃さ調整装置を示している。なお、図９中の色濃さ調整装置において、図２中のシャープネス調整装置と同一の構成要素には同一の符号を付し、その説明を省略する。
【００３７】
図９中の色濃さ調整装置３０は、映像の色の濃さを調整する装置である。色濃さ調整装置３０は、レベル検出回路３、周波数帯域選択回路４および色濃さ調整回路３１を備えている。
【００３８】
色濃さ調整回路３１は、レベル検出回路３により検出された映像信号の複数の周波数帯域ごとのレベルに基づいて、映像の色の濃さを映像信号の複数の周波数帯域ごとに調整する。例えば、色濃さ調整回路３１は、周波数帯域選択回路４により選択された特定の周波数帯域に属する映像信号の周波数成分に対し、色の濃さの調整を行う。色濃さ調整回路３１は、図４に示すシャープネス調整回路５とほぼ同様に、複数のフィルタ部、複数の色濃さ調整部、複数のスイッチ、および加算器を備えている。また、色濃さ調整回路３１において、複数のフィルタ部により映像信号を複数の周波数成分に分ける点、スイッチの切り換えにより輝度調整を行うか否かを選択する点、選択信号に基づいて複数のスイッチの切り換え制御を行う点、加算器により複数の周波数成分を１個の映像信号に合成する点は、図４に示すシャープネス調整回路５とほぼ同様である。
【００３９】
色濃さ調整装置３０の動作は以下のとおりである。映像信号が色濃さ調整装置３０に入力されると、色濃さ調整装置３０内において、映像信号はレベル検出回路３および色濃さ調整回路３１にそれぞれ入力される。続いて、レベル検出回路３は、映像信号の走査期間内に設定された複数の検出区間から映像信号の部分を抽出し、これら抽出された映像信号の部分を複数の周波数成分に分け、各周波数成分のレベルを検出する。さらに、レベル検出回路３は、１フレームを構成する映像信号の各周波数成分のレベルの実質的な平均値を生成し、これを周波数帯域選択回路４に出力する。続いて、周波数帯域選択回路４は、複数の周波数帯域にそれぞれ属する映像信号の周波数成分の中から、所定レベルよりも低いレベルを有する周波数成分を検出し、この周波数成分が属する周波数帯域を示す選択信号を生成し、これを色濃さ調整回路３１に出力する。続いて、色濃さ調整回路３１は、選択信号が示す周波数帯域に属する映像信号の周波数成分に対し、色の濃さの調整を行う。
【００４０】
以上説明したとおり、色濃さ調整装置３０は、映像信号の複数の周波数帯域ごとのレベルに基づいて、映像信号の複数の周波数帯域ごとに、例えばレベルの低い周波数成分についてだけ、色の濃さの調整を行う。これにより、映像周波数に応じて良好な画質を作り出すことができる。なお、色濃さ調整回路３１は色調整手段の具体例である。
【００４１】
なお、本発明の画質調整装置は、ディスプレイ装置に設けられた専用の回路によって実現するに限らず、他の形態でも実現することができる。例えば、コンピュータを画質調整装置として機能させてもよい。すなわち、レベル検出機能、画質調整機能などを実現するためのコンピュータプログラムを作成し、これをコンピュータに読み込ませ、コンピュータに搭載された回路資源またはコンピュータに接続された回路資源を利用して画質調整装置を実現してもよい。
【００４２】
また、本発明は、請求の範囲および明細書全体から読み取るこのできる発明の要旨または思想に反しない範囲で適宜変更可能であり、そのような変更を伴う画質調整装置、画質調整方法、ディスプレイ装置並びにこれらの機能を実現するコンピュータプログラムもまた本発明の技術思想に含まれる。
【図面の簡単な説明】
【００４３】
【図１】本発明のディスプレイ装置の実施形態を示す正面図である。
【図２】本発明の画質調整装置の第１実施形態であるシャープネス調整装置を示すブロック図である。
【図３】図２中のレベル検出回路を示すブロック図である。
【図４】図２中のシャープネス調整回路を示すブロック図である。
【図５】映像信号を示す波形図である。
【図６】映像信号のシャープネス強度を周波数帯域にかかわらず一律に強くした場合において、シャープネス強度調整前の映像信号とシャープネス強度調整後の映像信号とを示す波形図である。
【図７】映像信号のうち、選択された特定の周波数帯域に属する周波数成分に限りシャープネス強度を強くした場合において、シャープネス強度調整前の映像信号とシャープネス強度調整後の映像信号とを示す波形図である。
【図８】本発明の画質調整装置の第２実施形態である輝度調整装置を示すブロック図である。
【図９】本発明の画質調整装置の第３実施形態である色濃さ調整装置を示すブロック図である。
【符号の説明】
【００４４】
１  シャープネス調整装置（画質調整装置）
２  ディスプレイ装置
３  レベル検出回路（レベル検出手段）
４  周波数帯域選択回路（選択手段）
５  シャープネス調整回路（画質調整手段、シャープネス調整手段）
１３Ａないし１３Ｅ  平均化部（平均値生成手段）
２０  輝度調整装置（画質調整装置）
２１  輝度調整回路（輝度調整手段）
３０  色濃さ調整装置（画質調整装置）
３１  色濃さ調整回路（色調整手段）
【図１】
2006287636.tif 000003
【図２】
2006287636.tif 000004
【図３】
2006287636.tif 000005
【図４】
2006287636.tif 000006
【図５】
2006287636.tif 000007
【図６】
2006287636.tif 000008
【図７】
2006287636.tif 000009
【図８】
2006287636.tif 000010
【図９】
2006287636.tif 000011